(57)【特許請求の範囲】
【請求項１】
ハウジング内にそれぞれ形成された吸入室及び吐出室と、固定の端板部上に形成された渦巻状の羽根部を有し、前記ハウジングの１部を構成する固定スクロールと、可動の端板部上に形成された渦巻状の羽根部を有し、前記固定スクロールと噛み合うことによってそれらの渦巻状の羽根部の間に流体を圧縮するための複数個の作動室を形成する可動スクロールとを備えており、前記作動室が前記可動スクロールの公転運動によって両スクロールの中心部に向って移動する際に容積を縮小することによって前記作動室内部の流体を圧縮し、前記両スクロールの中心部から吐出弁を介して加圧された流体を吐出するように構成されたスクロール型圧縮機において、このスクロール型圧縮機が、
前記可動スクロールの公転を許すと共に自転を阻止するために前記ハウジングと前記可動スクロールとの間に設けられている自転防止機構と、
前記可動スクロールの前記端板部の背面及び前記ハウジングの内部に形成される平坦な端板部からなるスラスト荷重支持面と、
前記可動スクロールの前記端板部の背面において、前記可動スクロールの中心の周りに形成された背圧用ポケットと、
前記背圧用ポケットと前記作動室とを連通するために、前記可動スクロールの前記端板部を貫通して形成された連通孔と、
前記背圧用ポケットから前記作動室への流体の漏れを阻止する前記連通孔内に配置される逆止弁と、
を備えており、
所定の圧力が前記背圧用ポケットに作用すると、前記可動スクロールが前記固定スクロール側に移動し、前記背圧用ポケットの流体が前記吸入室へ洩れ出ることを特徴とするスクロール型圧縮機。
【請求項２】
前記連通孔の前記作動室内の開口位置が、前記背圧用ポケット内に導かれた圧力により発生する荷重に対し、前記可動スクロールの前記端板部に作用する荷重と同等以下となる位置に形成されていることを特徴とする請求項１に記載のスクロール型圧縮機。
【請求項３】
前記逆止弁がリード弁であることを特徴とする請求項１又は２に記載のスクロール型圧縮機。
【請求項４】
前記逆止弁がボールとバネで構成されていることを特徴とする請求項１又は２に記載のスクロール型圧縮機。
【請求項５】
前記背圧用ポケットが単一の円環状に形成されており、前記自転防止機構が前記背圧用ポケットに対して半径方向に異なる位置に設けられていることを特徴とする請求項１〜４のいずれか１項に記載のスクロール型圧縮機。
【請求項６】
前記背圧用ポケットが複数個形成されており、前記自転防止機構が前記背圧用ポケットと実質的に同じ円周上において、前記背圧用ポケットの間に設けられていることを特徴とする請求項１〜４のいずれか１項に記載のスクロール型圧縮機。
【請求項７】
前記背圧用ポケットによって形成される空間のシール性を高めるために、前記背圧用ポケットの周縁に沿ってシール材が設けられていることを特徴とする請求項１〜７のいずれか１項に記載のスクロール型圧縮機。
【請求項８】
前記逆止弁が絞り機能を有しているか、或いは前記逆止弁と前記作動室との間に別途絞りを設けることを特徴とする請求項１又は２に記載のスクロール型圧縮機。
【請求項９】
使用冷媒が高圧ガス、例えば二酸化炭素、であることを特徴とする請求項１〜８のいずれか１項に記載のスクロール型圧縮機。
【請求項１０】
駆動源として電動機を内蔵していることを特徴とする請求項１〜９のいずれか１項に記載のスクロール型圧縮機。
【発明の詳細な説明】
【０００１】
【発明の属する技術分野】
本発明は、空調装置の冷媒圧縮機として使用するのに適したスクロール型圧縮機であって、特に二酸化炭素（ＣＯ２  ）等の高圧ガスを冷媒とする車両用空調装置に用いられるスクロール型圧縮機に関する。
【０００２】
【従来の技術】
一般に良く知られているようにスクロール型圧縮機においては、その構造上の特徴から必然的に運転時において可動スクロールにスラスト荷重が作用する。このスラスト荷重を支持するために、可動スクロールの端板部の背面と、それに対向するハウジングの一部の平坦な端面部とを摺動面として、それらを摺動係合させているのが普通である。このようなスラスト荷重支持面における摺動摩擦を軽減するために、様々の工夫がなされている。
【０００３】
ところで、近年においてフロン系の冷媒が地球環境に及ぼす影響が指摘されるようになって来たために、それに代わるものとして二酸化炭素（ＣＯ２  ）を冷媒とする冷凍サイクルが注目されているが、ＣＯ２  を冷媒として使用する場合には、フロン系冷媒を使用する場合に比べて冷凍サイクルの運転時の圧力が非常に高いという特徴があるので、冷媒圧縮機としてスクロール型圧縮機を用いる場合には、可動スクロールに軸方向に従来にも増して非常に大きなスラスト荷重が作用する。従って高負荷運転の状態において摺動面に大きな摩耗や焼き付きが発生し易くなるため、スクロール型圧縮機の信頼性が低下するという問題がある。また、同時に摺動面の摩擦による機械損失も大きくなるため、スクロール型圧縮機の性能面においても問題を生じる。
【０００４】
これらの問題に対処するための手段として、可動スクロールに作用するスラスト荷重の支持面の一方である可動スクロールの端板部の背面に溝状の背圧室を、ハウジングの平坦な端面部に対応するようにして設けて、この背圧室に加圧された流体をダイレクトに導いて摺動面の間で拡散させて、可動スクロールのスラスト荷重を浮動的に支持することが、従来より公知（特開平９−３１０６８７号）である。しかしながら、この方法も背圧室、即ち作動室のシール性が確保できず問題がある。
【０００５】
更にスクロール型圧縮機の作動室の軸方向のシール性を改善したものとして、特開平３−６４６８６号公報に示されたものが従来公知である。この圧縮機は、固定スクロールと可動スクロールとにより圧縮され、吐出室に吐出された高圧冷媒ガスを圧力調整弁又は絞りを介して、可動スクロール背面側にバイパスさせると共に、可動スクロール背面側の冷媒ガスを調整弁及び絞りを介して吸入室側に戻すことにより、吐出圧力、吸入圧力に応じた適正な中間圧力を作り出し、この中間圧力を可動スクロール背面に作用させることにより、可動スクロールを軸方向に押し付け、作動室のシール性を向上させ、圧縮効率を上げることにある。しかしながら、上記構成では、圧縮機が圧縮仕事を与えた高圧の吐出冷媒ガスを可動スクロール背面側に捨ててしまう構成となるため、圧縮機の性能を向上させる効果が小さくなってしまうという問題がある。
【０００６】
また、本出願人は、作動室のシール性を高める一方で、スラスト受面に生じる可能性がある摩耗を防止して、圧縮機の信頼性を向上させるという目的で、スラスト受面に円環状に形成される背圧室を二重のリング溝としたものを、特願平１０−３１１２５７号として出願しているが、これも依然として作動室の圧力をダイレクトに可動スクロール背面に作用させているため、可動スクロールの傾き等により一端漏れが発生すると、背圧供給部である作動室から連続的に冷媒が漏れるため、圧縮性能が低下するという問題がある。
【０００７】
【発明が解決しようとする課題】
本発明は、上記の問題点が、「可動スクロールに作用するスラスト荷重に対抗する背圧力が、圧縮仕事を与えた吐出冷媒ガスを可動スクロール背面に作用させて、吸入室側に捨てることにより作り出されている」という点と、「一端漏れが発生すると連続的に漏れ続ける」という点とが原因で発生するということに着目し、吐出冷媒ガスを吸入室側に捨てる量を小さくできるようにしたものである。
【０００８】
すなわち、本発明は、従来技術における前述の問題に対処して、スクロール型圧縮機において、可動スクロールに作用するスラスト荷重に対抗して、可動スクロールを固定スクロールの端板部に向って十分な大きさの背圧力によって軸方向に押圧し、作動室のシール性を高める一方、高負荷運転時にスラスト受面に生じる可能性がある摩耗を防止して、圧縮機の信頼性を向上させると共に機械損失を低減させることができると共に、高圧の吐出冷媒ガスが可動スクロールのスラスト受面において、低圧側である吸入室に多量に漏れ出て圧縮機の圧縮効率が低下することのない改良されたスクロール型圧縮機を提供することを目的としている。
【０００９】
【課題を解決するための手段】
本発明は、前記の課題を解決するための手段として、特許請求の範囲の各請求項に記載されたスクロール型圧縮機を提供する。
【００１０】
請求項１に記載されたスクロール型圧縮機においては、可動スクロールの端板部の背面に設けられた背圧用ポケットと作動室とを連通するために、可動スクロールの端板部を貫通して連通孔を設けると共に、この連通孔に背圧用ポケットから作動室への流体の漏れを阻止する逆止弁を設けたものであり、これにより作動中において、可動スクロールに作用するスラスト荷重Ｆｓ  が可動スクロールの背面に生じる背圧力Ｆｈ  よりも小さくなって、可動スクロール端板部とミドルプレートとの間に隙間が生じ、背圧用ポケット内の冷媒が吸入室へ流出し、背圧用ポケット内の圧力が低下しても、連通孔内に設けた逆止弁の開弁力効果により、作動室内の冷媒が背圧用ポケット内に流入する前に背圧用ポケット内の冷媒が吸入室に流出するため、スラスト荷重によって瞬時に可動スクロール端板部はミドルプレートに接触し、背圧用ポケットは密閉空間を作るようになり、冷媒を無駄に吸入室に流出させることがなく、圧縮効率を向上させることができる。これは、可動スクロールが傾き、背圧用ポケットの密閉空間がくずれ、冷媒が吸入室に流出した場合においても、同様に可動スクロールの傾きを修正でき、冷媒の流出を少なくすることができる。
【００１１】
請求項２に記載されたスクロール型圧縮機においては、連通孔の作動室内の開口位置を特定することによって、従来の高圧の吐出冷媒を可動スクロールの背圧力に利用していたのに比べて、圧縮途中の冷媒を使用できるので、省動力効果を高めることができる。
【００１２】
請求項３及び請求項４に記載のスクロール型圧縮機は、逆止弁として、リード弁又はボールとバネで構成したものを使用したもので、実質的に請求項１のスクロール型圧縮機と同様の効果を奏する。
請求項５及び請求項６に記載のスクロール型圧縮機は、それぞれ背圧用ポケットの形状と位置とを特定したものであり、同じく実質的に請求項１のスクロール型圧縮機と同様の効果を奏する。
【００１３】
請求項７に記載のスクロール型圧縮機は、背圧用ポケットの外周を囲うようにシールを設けたもので、これにより定常運転時の背圧用ポケットから吸入室への冷媒の漏れを低減し、一層の圧縮効果が期待できる。
請求項８に記載のスクロール型圧縮機は、前記逆止弁に絞り機能を付加するか又は逆止弁とは別途に絞りを設けることにより、背圧用ポケットから吸入室への冷媒の漏れ時に、逆止弁の開弁力に加えて絞り効果を加えることにより、背圧用ポケットを密閉空間に戻す作用の信頼性を高めたものである。
【００１４】
請求項９に記載のスクロール型圧縮機は、使用冷媒として、ＣＯ２  のような高圧ガスに特定したもので、この場合において特に有効である。
請求項１０に記載のスクロール型圧縮機は、駆動源として電動機を内蔵したものであり、他の駆動源と使用したものと同様の作用効果を有するものである。
【００１５】
【発明の実施の形態】
以下、本発明の第１の実施の形態のスクロール型圧縮機を図１〜４を参照して説明する。本発明のスクロール型圧縮機は、ＣＯ２  を冷媒とする空調装置の冷媒圧縮機に適しているものである。図１は本発明のスクロール型圧縮機の全体構造を示す断面図であり、シャフト１は、モータケーシング２に固定されているフロントベアリング４と、ミドルプレート５に固定されているメインベアリング６とによって、回転自在に支持されており、このシャフト１の一端には、軸の中心に対し所定量偏心した位置にクランク部１ａが設けられている。モータ３は、モータケーシング２に固定されているモータステータ３ａと、シャフト１に固定されているモータロータ３ｂからなり、図示しない電源から電力を供給されることにより回転し、前記シャフト１を回転させる。
【００１６】
可動スクロール７は、略円形をした可動スクロール端板部７ａと、この端板部７ａの片側に形成され、円筒形状をした可動スクロールボス部７ｂと、このボス部７ｂが形成されている端板部７ａの他面側に形成されている渦巻き形状をした可動スクロールラップ部（羽根部）７ｃとからなる。可動スクロールボス部７ｂには、ロータベアリング１５が固定されており、シャフト１のクランク部１ａに回転自在に支持されている。
【００１７】
本発明の特徴に対応して、可動スクロール端板部７ａの背面には、背圧用ポケット７ｅが１つ或いは複数個形成されており、その形状は、可動スクロールボス部７ｂとほぼ同心位置に円環形状（図２を参照）をしており、後述の自転防止機構とは半径方向に異なる位置に設けられている。あるいは、その形状はこのボス部７ｂを中心とし、略楕円（図３の（ａ）を参照）か、略円（図３の（ｂ）を参照）か、略トラック形状（図３の（ｃ）を参照）か、略扇形状（図３の（ｄ）を参照）をしており、後述の自転防止機構と同じような円周上で、それらの間に設けられている。そして、この背圧用ポケット７ｅは、可動スクロールの公転運動にかかわらず、常時ミドルプレート５と閉空間を形成できる位置に設けられている。
更に可動スクロール端板部７ａに穿孔して形成された連通孔７ｆを通じて、背圧用ポケット７ｅは、圧縮機自体によって圧縮された冷媒ガスの一部の供給を受けるようになっており、それによって可動スクロール７の端板部７ａの背面と、ミドルプレート５の平坦な端面部との間に、可動スクロール６に作用するスラスト荷重を支持する流体軸受を形成する。
【００１８】
通常のスクロール型圧縮機と同様に、可動スクロール７に対して偏心した位置で対向して、回転方向に１８０度ずらして噛み合う固定スクロール８が設けられる。固定スクロール８は、カップ形状をした固定スクロール端板部８ａと、可動スクロールラップ部７ｃと略同形状をした渦巻状の固定スクロールラップ部（羽根部）８ｂとからなり、この可動スクロールラップ部７ｃと相対するように組み付けられる。可動スクロール７の渦巻状のラップ部７ｃと固定スクロール８の渦巻き状のラップ部８ｂとが噛み合うことによって、それらの渦巻き状のラップ部７ｃと８ｂの間に冷媒を取り込んで圧縮する三日月状の作動室１１が複数個形成されるが、２つのスクロール７及び８の共通の中心部領域には、圧縮された冷媒の圧力が最も高くなる高圧作動室が１つだけ形成される。
【００１９】
モータケーシング２とミドルプレート５と固定スクロール８とは、図示しないボルト等で締結されており、前記固定スクロール端板部８ａとモータケーシング２及びミドルプレート５とで吸入室１６を形成している。吸入ポート８ｃは、固定スクロール端板部８ａ内に形成され、図示しない冷凍サイクルの低圧側と接続されている。更に固定スクロール端板部８ａには、吐出孔８ｄが設けられており、これは作動室１１の容積がほぼ零になる位置に形成されている。なお、固定スクロール端板部８ａの背後には、ボルト等によってリアケーシング１０が締結され、この端板部８ａとで吐出室１７を形成している。この吐出室１７内の固定スクロール端板部８ａには、吐出孔８ｄを覆う位置に図示しないボルト等で吐出弁９が固定されている。前記リアケーシング１０には、吐出ポート１０ａが形成されていて、図示しない冷凍サイクルの高圧側と接続されている。
【００２０】
更に本発明の特徴に対応して、前記可動スクロール端板部７ａを穿孔して形成した前記連通孔７ｆは、図２，３に示されるように前記背圧用ポケット７ｅと、前記作動室１１内の圧力が背圧用ポケット７ｅの表面積に応じた任意圧力に達する位置と、を連通させている位置に設けられている。また、背圧用ポケット７ｅと作動室１１の間の連通孔７ｆ内には、絞り１３及び逆止弁１４が配置されている。この逆止弁１４は、例えばボールとバネ或いはリード弁等でもよく、背圧用ポケット７ｅから作動室１１への冷媒の流れを止める。更に本発明のスクロール型圧縮機では、可動スクロール７の公転を許すが自転を阻止する自転防止機構が、可動スクロール端板部７ａの背面に設けられた自転防止用ポケット７ｄと、ミドルプレート５の端面から軸方向に突出する自転防止ピン１２とが相互に係合する対から構成され、これが可動スクロール７の円周上に少なくとも３ヶ所設けられている。
【００２１】
以上のように構成された第１の実施の形態のスクロール型圧縮機においては、モータ３から与えられた駆動力により、シャフト１及びクランク部１ａは回転し、クランク部１ａはシャフト１に対し所定量偏心しているため、クランク部１ａにロータベアリング１５を介して嵌合している可動スクロール７は、自転防止機構により自転を阻止されているために公転運動をする。従って２つのスクロール７と８の渦巻き状のラップ部７ｃと８ｂの間に形成される作動室１１が、吸入室１６に開口したときに吸入室１６からＣＯ２  のような冷媒を取り込み、更に可動スクロール７が公転することによって作動室１１が閉じて、２つのスクロール７と８の中心に向って移動する間に、作動室１１の容積が小さくなるので吸入された作動室１１内の冷媒は徐々に圧縮される。そして作動室１１の容積が最も小さくなって中心部の高圧作動室に開口するときに、作動室１１内で圧縮された高圧冷媒が高圧作動室及び吐出孔８ｄから吐出弁９を押し開けて吐出室１７に流出し、吐出ポート１０ａから外部へ導かれる。
【００２２】
このようにして作動室１１内で流体が圧縮されるときには、作動室１１内の圧力と吸入室１６の差圧により、可動スクロール端板部７ａには、図４の（ａ）に示されるように図中左方向にスラスト荷重Ｆｓ  が発生する。作動室１１内で任意の圧力に達した冷媒は、背圧用ポケット７ｅ内の圧力を越えると逆止弁１４及び連通孔７ｆを介して背圧用ポケット７ｅ内に流入し、可動スクロール端板部７ａに図７に示されるように図中右方向に背圧力Ｆｈ  を与える。
負荷変動等により、スラスト荷重Ｆｓ  が大きくなると作動室１１内の圧力も上昇するため、背圧用ポケット７ｅ内にさらに高圧の冷媒が流入し、背圧力Ｆｈ  を増大させる。
【００２３】
また逆にスラスト荷重Ｆｓ  がＦｈ  ＞Ｆｓ  になるほど小さくなった場合は、図４の（ｂ）に示されるように可動スクロール端板部７ａはミドルプレート５から離れ、ミドルプレート５と可動スクロール端板部７ａの間に隙間が発生するため、背圧用ポケット７ｅ内の冷媒は吸入室１６へ流出し、背圧用ポケット７ｅ内の圧力は低下する。
その際、連通孔７ｆ内に設けた逆止弁１４の開弁力と絞り１３の絞り効果により、作動室１１内の冷媒が背圧用ポケット７ｅ内に流入する前に背圧用ポケット７ｅ内の冷媒は吸入室１６に流出するため、スラスト荷重によって瞬時に可動スクロール端板部７ａはミドルプレート５に接触し、背圧用ポケット７ｅは密閉空間を形成する。
【００２４】
上記のような作動により、作動室１１内より吸入室１６に流出する冷媒は、圧縮途中の冷媒であるため、図５に示すように、従来の特開平３−６４６８６号のスクロール型圧縮機のように高圧の吐出冷媒を使用するに比べて、省動力効果が高くなる。
【００２５】
更に、スクロール型圧縮機の運転時、前記したように可動スクロール７には作動室１１内の圧縮反力により、スラスト荷重Ｆｓ  が発生するが、圧縮途中の冷媒を絞り１３、逆止弁１４、連通孔７ｆを介して、可動スクロール端板部７ａの背面の背圧用ポケット７ｅに導入して、スラスト荷重Ｆｓ  とは反対の向きに背圧力Ｆｈ  を発生し、可動スクロール７を押し返すことにより、可動スクロール７のスラスト摺動面に作用する荷重を低減しているが、可動スクロール７には作動室１１内の圧縮反力により径方向にも荷重が作用するため、可動スクロール７にモーメント力が働き、片持ち構造の可動スクロール７は、ロータベアリング１５を支点として嵌合遊び分だけ傾く。この傾きにより、ミドルプレート５及び逆止弁１４により密閉空間を形成していた背圧用ポケット７ｅは開口し、冷媒が吸入室１６に流出することがある。
【００２６】
この場合においても、逆止弁１４と絞り１３とによる開弁力と絞り効果により、作動室１１内の冷媒が連通孔７ｆ内に設けた絞り１３と逆止弁１４を介して背圧用ポケット７ｅ内に流入する前に背圧用ポケット７ｅ及び連通孔７ｆ内の冷媒は吸入室１６に流出するため、可動スクロール７に作用するスラスト荷重によって瞬時に可動スクロール７は傾きをなくし、再び背圧用ポケット７ｅは密閉空間を形成できる。その後、絞り１３、逆止弁１４、連通孔７ｆを介して圧縮途中の冷媒が導入されるため、冷媒を無駄に吸入室１６に流出させることなく元の状態に復帰できる。
【００２７】
このように、本発明のスクロール型圧縮機においては、圧縮冷媒ガスの流出を最少限にすることができ、圧縮効率が良く、可動スクロールのスラスト摺動面の信頼性が高く、また従来の高圧の吐出冷媒を可動スクロールの背圧用として使用するのに比べて、劣動力効果の高い圧縮機を提供できる。
【００２８】
図６は、本発明の第２の実施の形態としてのスクロール型圧縮機を示したもので、第２の実施の形態は前述の第１の実施の形態とは、背圧用ポケットを設ける位置に違いがあるだけで、それ以外の部分は実質的に第１の実施の形態と同じであるので重複部分の説明は省略する。
即ち、第２の実施の形態では、背圧用ポケット７ｅを第１の実施の形態では可動スクロール端板部７ａの背面側に設けていたのに対して、ミドルプレート５の可動スクロールと対向している平坦な端面部に設けたものである。このミドルプレート５に設ける背圧用ポケット７ｅは、第１の実施の形態及びその変形例（図２，３を参照）と同様に、１つあるいは複数個形成されており、その形状は、シャフト１とほぼ同心位置に円環形状をしているか、或いはシャフト１を中心として、略楕円か、略円か、略トラック形状か、略扇形が複数個設けられている。円環形状の背圧用ポケット７ｅは、前記自転防止機構とは、シャフト１を中心として半径方向に異なる位置に設けられるが、その他の形状の複数個の背圧用ポケット７ｅは、自転防止機構と同じ円周上で、それらの間に位置するように設けられている。
【００２９】
図７は、第３の実施の形態を示しており、ここでは背圧用ポケット７ｅの外周を囲う様に、樹脂かゴム又は銅などの金属等よりなるシール１７が設けられている。その他の部分は、第１の実施の形態と同じである。
このように、シール１７を設けることにより、スクロール型圧縮機の定常運転時における背圧用ポケット７ｅから吸入室１６に漏れ出す冷媒量を低減でき、圧縮効率を一層向上できるものである。
【００３０】
図１及び図６，７に示されるように本発明の第１〜３の実施の形態のスクロール型圧縮機は、いずれもモータを駆動源としているが、図８に示すように自動車のエンジン等を駆動源とし、ベルトを介して前記シャフト１に駆動力を与える構成としてもよく、同様の作用効果が得られるものである。
【図面の簡単な説明】
【図１】本発明の第１の実施の形態のスクロール型圧縮機の縦断面図である。
【図２】本発明のスクロール型圧縮機の可動スクロールの背圧用ポケットの形状を示す平面図である。
【図３】（ａ）〜（ｄ）は、可動スクロールの背圧用ポケットの形状及び位置を示す変形例をそれぞれ示している可動スクロールの平面図である。
【図４】スクロール型圧縮機における可動スクロールに作用するスラスト荷重Ｆｓ  と背圧力Ｆｈ  との大小関係による作動状況を説明する図である。
【図５】本発明のスクロール型圧縮機が、圧縮途中の冷媒を可動スクロールの背圧力に利用することによる従来の吐出冷媒を利用するものとの省動力効果を説明するグラフである。
【図６】本発明の第２の実施の形態のスクロール型圧縮機の縦断面図である。
【図７】本発明の第３の実施の形態のスクロール型圧縮機の縦断面図である。
【図８】電動機を内蔵したものに代えて、自動車のエンジン等の外部の駆動源を利用できるようにした本発明のスクロール型圧縮機の縦断面図である。
【符号の説明】
１…シャフト
１ａ…クランク部
３…モータ
５…ミドルプレート
７…可動スクロール
７ａ…可動スクロール端板部
７ｂ…可動スクロールボス部
７ｃ…可動スクロールラップ部
７ｄ…自転防止用ポケット
７ｅ…背圧用ポケット
７ｆ…連通孔
８…固定スクロール
８ａ…固定スクロール端板部
８ｂ…固定スクロールラップ部
９…吐出弁
１１…作動室
１２…自転防止ピン
１３…絞り
１４…逆止弁
１６…吸入室
１７…吐出室
１８…シール
【図１】
0003560492.tif 000002
【図２】
0003560492.tif 000003
【図３】
0003560492.tif 000004
【図４】
0003560492.tif 000005
【図５】
0003560492.tif 000006
【図６】
0003560492.tif 000007
【図７】
0003560492.tif 000008
【図８】
0003560492.tif 000009